(57)【特許請求の範囲】
【請求項１】
ダッシュボードにウインドシールド支持構造を介してウインドシールドを支持させる支持構造において、
前記ウインドシールド支持構造は、ダッシュボードの上面前縁から車体前方へ略水平に延ばした片持梁形状の第１サポートと、この第１サポートの先端からウインドシールドの下縁に向って延びる第２サポートとで、略くの字断面構造にしたものであり、且つ前記第２サポートを第１サポートの先端に結合する薄い下部フランジ部と、この下部フランジ部につづく中空矩形断面のボックス部と、このボックス部につながりウインドシールドを受ける上部フランジ部とで構成したことを特徴とするウインドシールド支持構造。
【請求項２】
前記ダッシュボードは上部が箱形断面部であり、この箱型断面部から前記第１サポートを延出させたことを特徴とする請求項１記載のウインドシールド支持構造。
【発明の詳細な説明】
【０００１】
【発明の属する技術分野】
本発明は、車体を変形させて衝撃を吸収するウインドシールド支持構造に関する。
【０００２】
【従来の技術】
車体構造には、万一障害物に当ったとき、車体を変形させて衝撃を吸収することで、障害物を衝撃から守る衝撃吸収構造がある。
この衝撃吸収構造の代表的な例として特開平６−１６１５６号公報「ウインドマウンティング構造」が提案されており、同公報の図７を以下に再掲して、この技術を説明する。なお、符号は新たに振り直した。
【０００３】
図５は従来の代表的なウインドシールド支持構造の断面図であり、変形前を実線で示し、変形後を２点鎖線で示した。
ウインドシールド支持構造は、カウルトップパネル１００に第２の部材１０２を取り付け、第２の部材１０２の被差込み部１０２ａを第１の部材１０４に差込み、第１の部材１０４をクリップ１０６…（…は複数個を示す。以下、同様。）でカウルトップパネル１００に取り付け、第２の部材１０２の結合面１０２ｂに接着剤１０８でウインドシールドパネル１１０を取り付けたものである。
【０００４】
カウルトップパネル１００の傾斜部１００ａをダッシュパネル１１２の上部１１２ａに取り付けて２重構造にしたので、万一、歩行者等の障害物がウインドシールドパネル１１０に当ってウインドシールドパネル１１０に外力Ｆが作用すると、第２の部材１０２は基部１０２ｃから２点鎖線で示すように折れ曲がる。
【０００５】
しかし、外力Ｆの作用点から基部１０２ｃまでの距離Ｌ１が小さいので、ウインドシールドパネル１１０に外力Ｆが作用しても、第２の部材１０２は２点鎖線で示すように僅かに変形するだけである。このため、万一、障害物がウインドシールドパネル１１０に当たると、障害物に及ぼす衝撃を確実に吸収することができない虞れがある。
次図に、障害物に及ぼす衝撃をより吸収することができるウインドシールド支持構造を示す。
【０００６】
図６は従来の代表的なウインドシールド支持構造の断面図であり、変形前を実線で示し、変形後を２点鎖線で示した。
ウインドシールド支持構造は、ダッシュボード上部１２０の後端１２０ａにウインドシールドサポート１２２の後端１２２ａを取り付け、ウインドシールドサポート１２２の前端１２２ｂにラバー１２４を載せ、ラバー１２４にウインドシールド１２６の下縁１２６ａを載せ、この下縁１２６ａをウインドシールドサポート１２２の後端１２２ａに接着剤１２５で取り付けたものである。
【０００７】
万一、障害物１３０がウインドシールド１２６に当ると、ウインドシールドサポート１２２の前端１２２ｂに外力Ｆが作用する。外力Ｆの作用点から固定端となる後端１２２ａまでの距離Ｌ２は、図５のＬ１より大きい。このため、ウインドシールドサポート１２２は２点鎖線で示すように比較的大きく折り曲がり、障害物１３０に及ぼす衝撃をある程度吸収することは可能である。
【０００８】
【発明が解決しようとする課題】
しかし、外力が作用したときに、ウインドシールドサポート１２２の一部材のみが変形するだけなので、変形量に限りがある。このため、障害物１３０に及ぼす衝撃を確実に吸収することができない虞れがある。
【０００９】
そこで、本発明の目的は、障害物に及ぼす衝撃を確実に吸収することができる技術を提供することにある。
【００１０】
【課題を解決するための手段】
上記目的を達成するために本発明の請求項１は、ダッシュボードにウインドシールド支持構造を介してウインドシールドを支持させる支持構造において、ウインドシールド支持構造は、ダッシュボードの上面前縁から車体前方へ略水平に延ばした片持梁形状の第１サポートと、この第１サポートの先端からウインドシールドの下縁に向って延びる第２サポートとで、略くの字断面構造にしたものであり、且つ前記第２サポートを第１サポートの先端に結合する薄い下部フランジ部と、この下部フランジ部につづく中空矩形断面のボックス部と、このボックス部につながりウインドシールドを受ける上部フランジ部とで構成したことを特徴とする。
【００１１】
第１サポートをダッシュボードの上面前縁から車体前方へ略水平に延ばして片持梁形状としたので、第１サポートは下方へ容易に変形する。また、第２サポートの薄い下部フランジ部を第１サポートの先端に結合したので、第２サポートは下部フランジ部の箇所で容易に折れ曲がる。
このため、ウインドシールドに作用した外力で、第１サポート及び第２サポートの２部材を変形させることができるので、ウインドシールド支持構造の変形量を十分に確保することができる。
【００１２】
請求項２は、ダッシュボードは上部が箱形断面部であり、この箱型断面部から第１サポートを延出させたことを特徴とする。
ダッシュボードの上部を箱形断面部に形成したので、ダッシュボード上部の剛性を高めることができる。
また、箱形断面部の上面前縁から第１サポートを延出させたので、箱形断面部と第１サポートとの間に十分な大きさの隙間を確保することができる。このため、箱形断面部で第１サポートの変形を妨げる心配はない。
【００１３】
【発明の実施の形態】
本発明の実施の形態を添付図に基づいて以下に説明する。図面は符号の向きに見るものとする。なお、説明中、「左」、「右」、「前」及び「後」は運転者から見たときの方向若しくは位置を示す。
図１は本発明に係るウインドシールド支持構造を取り付けた車体の斜視図である。
車体１は、左右のフロントフェンダ２，３と、左右のフロントフェンダ２，３の間に配置したボンネット４と、ボンネット４の後方に配置してウインドシールド（フロントウインドガラス）６を支持するウインドシールド支持構造１０とからなる。このウインドシールド支持構造１０は、車体１の左フロントフェンダ２から右フロントフェンダ３まで車幅方向に渡したものである。なお、ウインドシールド支持構造１０については次図で詳しく説明する。
７は前輪、８，８はフロントワイパである。
【００１４】
図２は図１の２−２線断面図である。
ウインドシールド支持構造１０は、ダッシュボード１２の上面前縁１２ａから車体前方へ略水平に延ばした片持梁形状の第１サポート１６と、この第１サポート１６の先端１６ａからフロントウインドガラス６の下縁６ａに向って延びる第２サポート２０とで略くの字断面構造にしたものである。
【００１５】
ダッシュボード１２の上部は、ダッシュボード上部１３及び補強部材１４で箱形断面部１５に形成して、剛性を十分に高めたものである。
箱形断面部１５は、補強部材１４の前半分を前下がり勾配に傾斜させた傾斜部１４ａとし、傾斜部１４ａの頂部（すなわち、ダッシュボード１２の上面前縁１２ａ）に第１サポート１６の後端１６ｂと取り付けたものである。
このため、箱形断面部１５と第１サポート１６との間に隙間Ｓ１を開けることができるので、箱形断面部１５は第１サポート１６が下方向に変形することを妨げない。
第１サポート１６は、ダッシュボード１２の上面前縁１２ａから車体前方へ略水平に延ばして片持梁形状としたので、上下に変形し易い部材である。
【００１６】
第２サポート２０は、第１サポート１６の前端１６ａに結合する薄い下部フランジ部２２と、この下部フランジ部２２につづく中空矩形断面のボックス部２４と、このボックス部２４につながりフロントウインドガラス６を受ける上部フランジ部２６とからなり、第１サポート１６との間に隙間Ｓ２を開けて取り付けた部材である。
このため、第２サポートは、薄い下部フランジ部２２で下向きに容易に折れ曲がる。
【００１７】
ボックス部２４は、ボックス上板２４ａ及びボックス下板２４ｂで中空矩形断面部を形成することで剛性を高めた部材である。
ボックス部２４の剛性を高めた理由は、ボックス部２４につないだ上部フランジ部２６でフロントウインドガラス６を確実に支持するためである。
【００１８】
上部フランジ部２６は、上面にラバー２８を載せ、このラバー２８に載せたフロントウインドガラス６の下縁６ａを、接着剤２９で取り付けた部材である。
カウルトップ３０は、前端３０ａをダッシュボード１４の上部にクリップ３２で取り付け、後端３０ｂをボックス部２４にクリップ３４で取り付けることにより、後端３０ｂでフロントウインドガラス６の下縁６ａを押し付けた合成樹脂製の部材である。
【００１９】
なお、３６はシール、３７はブラケット、３８はワイパピボットホルダであり、ワイパピボットホルダ３８はフロントワイパ８のワイパシャフト（図示しない。）を支持する部材である。３９はワイパシャフトの先端に取り付けたワイパアーム、４０はワイパブレードである。
【００２０】
以上に述べたウインドシールド支持構造１０の作用を次に説明する。
図３（ａ），（ｂ）は本発明に係るウインドシールド支持構造の第１作用説明図である。
（ａ）において、障害物４２がフロントウインドガラス６に当ると、車体前方の斜め上方（図左上方から右下方）から外力Ｆがフロントウインドガラス６に作用する。第２サポート２０は、薄い下部フランジ部２２を支点として矢印▲１▼の如く折れ曲がる。
なお、第２サポート２０の下部フランジ部２２が折れ曲がる前のフロントウインドガラス６とダッシュボード１４との間の初期の隙間はＳ３である。
【００２１】
（ｂ）において、第２サポート２０のボックス部２４が第１サポート１６に当り、第２サポート２０が静止する。このとき、第２サポート２０はＳ４だけ変形して、フロントウインドガラス６とダッシュボード１４との間の隙間はＳ５まで小さくなる。
そして、第２サポート２０が静止した後、第１サポート１６が後端１６ｂを支点にして矢印▲２▼の如く変形する。
【００２２】
図４は本発明に係るウインドシールド支持構造の第２作用説明図である。
第１サポート１６がＳ５（図３（ｂ）に示す。）だけ変形すると、フロントウインドガラス６が第１サポート１６の後端１６ｂに当り、第１サポート１６が静止する。
ウインドシールド支持構造１０は、第２サポート２０の変形量Ｓ４（図３（ｂ）に示す。）に第１サポート１６の変形量Ｓ５を加えて、初期の隙間Ｓ３（図３（ｂ）に示す。）変形したことになる。
ウインドシールド支持構造１０の変形量を十分に確保することができるので、障害物４２に及ぼす衝撃を確実に吸収することができる。
【００２３】
なお、ウインドシールド支持構造１０をフロントウインド側に適用したが、その他に、例えばリヤウインド側に適用することも可能である。
また、ボックス部１８を中空矩形断面に形成したが、その他に例えば三角形断面にすることも可能である。
さらに、ウインドシールドを、例えばリヤウインドガラスやガラス以外の部材を使用することも可能である。
【００２４】
【発明の効果】
本発明は上記構成により次の効果を発揮する。
請求項１は、第１サポートをダッシュボードの上面前縁から車体前方へ略水平に延ばして片持梁形状としたので、第１サポートは下方へ容易に変形する。また、第２サポートの薄い下部フランジ部を第１サポートの先端に結合したので、第２サポートは下部フランジ部の箇所で容易に折れ曲る。
このため、ウインドシールドに作用した外力で、第１サポート及び第２サポートの２部材を変形させることができるので、ウインドシールド支持構造の変形量を十分に確保することができる。この結果、障害物に及ぼす衝撃を確実に吸収することができる。
【００２５】
請求項２は、ダッシュボードの上部を箱形断面部に形成したので、ダッシュボードの上部の剛性を高めることができる。
また、箱形断面部の上面前縁から第１サポートを延出させたので、箱形断面部と第１サポートとの間に十分な大きさの隙間を確保することができる。このため、箱形断面部で第１サポートの変形を妨げる心配はない。
この結果、車体の剛性をより高めるとともに、ウインドシールド支持構造を十分に変形させて、障害物に及ぼす衝撃を確実に吸収することができる。
【図面の簡単な説明】
【図１】本発明に係るウインドシールド支持構造を取り付けた車体の斜視図
【図２】図１の２−２線断面図
【図３】本発明に係るウインドシールド支持構造の第１作用説明図
【図４】本発明に係るウインドシールド支持構造の第２作用説明図
【図５】従来の代表的なウインドシールド支持構造の断面図
【図６】従来の代表的なウインドシールド支持構造の断面図
【符号の説明】
６…ウインドシールド（フロントウインドガラス）、６ａ…ウインドシールドの下縁（下縁）、１０…ウインドシールド支持構造、１２…ダッシュボード、１２ａ…上面前縁、１５…箱型断面部、１６…第１サポート、１６ａ…第１サポートの先端（先端）、２０…第２サポート、２２…下部フランジ部、２４…ボックス部、２６…上部フランジ部。
【図１】
0003939861.tif 000002
【図２】
0003939861.tif 000003
【図３】
0003939861.tif 000004
【図４】
0003939861.tif 000005
【図５】
0003939861.tif 000006
【図６】
0003939861.tif 000007